(57)【特許請求の範囲】
【請求項１】
タッチパネル機能を具備し、複数のページから構成される情報を２つのページごとに並べて表示する表示部と、
前記表示部が、前記表示部上を前記２つのページの対辺と概垂直方向へ動く接触である第１の接触パターンを感知した際、第１の操作を受けたと判断し、前記第１の操作を受け付けた場合、前記表示部に表示されている２つのページを、見開いた書籍のページをめくるように更新し、前記表示部が、前記表示部上を前記対辺と概水平方向へ動く接触である第２の接触パターンを感知した際、第２の操作を受け付けたと判断し、前記第２の操作を受け付けた場合、前記表示部に表示されている２つのページのうち一方のページのみを該ページの前または後のページへ更新して、前記表示部に表示させる制御部とを有する表示装置。
【請求項２】
請求項１に記載の表示装置において、
前記表示部は、物理的に分離し、互いに隣接した２つのディスプレイから構成され、
前記制御部は、前記２つのページそれぞれを前記２つのディスプレイそれぞれに表示させることを特徴とする表示装置。
【請求項３】
請求項１に記載の表示装置において、
前記制御部は、前記第１の接触パターンを感知した場合、該第１の接触パターンを感知した部分に表示されているページをめくるように、前記２つのページを更新することを特徴とする表示装置。
【請求項４】
請求項１に記載した表示装置において、
前記制御部は、前記第２の接触パターンを感知した場合、該第２の接触パターンを感知した部分に表示されているページのみを更新することを特徴とする表示装置。
【請求項５】
請求項１に記載の表示装置において、
前記制御部は、前記２つのページを更新する場合、互いに連続した２つのページに更新することを特徴とする表示装置。
【請求項６】
複数のページから構成される情報を２つのページごとに並べてディスプレイに表示するステップと、
前記ディスプレイが、前記ディスプレイ上を前記２つのページの対辺と概垂直方向へ動く接触である第１の接触パターンを感知した際、第１の操作を受けたと判断するステップと、
前記第１の操作を受け付けた場合、前記ディスプレイに表示されている２つのページを、見開いた書籍のページをめくるように更新するステップと、
前記ディスプレイが、前記ディスプレイ上を前記対辺と概水平方向へ動く接触である第２の接触パターンを感知した際、第２の操作を受け付けたと判断するステップと、
前記第２の操作を受け付けた場合、前記ディスプレイに表示されている２つのページのうち一方のページのみを該ページの前または後のページへ更新するステップとを行う表示方法。
【請求項７】
請求項６に記載の表示方法において、
前記第１の接触パターンを感知した場合、該第１の接触パターンを感知した部分に表示されているページをめくるように、前記２つのページを更新するステップを行うことを特徴とする表示方法。
【請求項８】
請求項６に記載した表示方法において、
前記第２の接触パターンを感知した場合、該第２の接触パターンを感知した部分に表示されているページのみを更新するステップを行うことを特徴とする表示方法。
【請求項９】
請求項６に記載の表示方法において、
前記２つのページを更新する場合、互いに連続した２つのページに更新するステップを行うことを特徴とする表示方法。
【請求項１０】
コンピュータに、
複数のページから構成される情報を２つのページごとに並べてディスプレイに表示する手順と、
前記ディスプレイが、前記ディスプレイ上を前記２つのページの対辺と概垂直方向へ動く接触である第１の接触パターンを感知した際、第１の操作を受けたと判断する手順と、
前記第１の操作を受け付けた場合、前記ディスプレイに表示されている２つのページを、見開いた書籍のページをめくるように更新する手順と、
前記ディスプレイが、前記ディスプレイ上を前記対辺と概水平方向へ動く接触である第２の接触パターンを感知した際、第２の操作を受け付けたと判断する手順と、
前記第２の操作を受け付けた場合、前記ディスプレイに表示されている２つのページのうち一方のページのみを該ページの前または後のページへ更新する手順とを実行させるためのプログラム。
【請求項１１】
請求項１０に記載のプログラムにおいて、
前記第１の接触パターンを感知した場合、該第１の接触パターンを感知した部分に表示されているページをめくるように、前記２つのページを更新する手順を実行させるためのプログラム。
【請求項１２】
請求項１０に記載したプログラムにおいて、
前記第２の接触パターンを感知した場合、該第２の接触パターンを感知した部分に表示されているページのみを更新する手順を実行させるためのプログラム。
【請求項１３】
請求項１０に記載のプログラムにおいて、
前記２つのページを更新する場合、互いに連続した２つのページに更新する手順を実行させるためのプログラム。
【請求項１４】
タッチパネル機能を具備し、複数のページから構成される情報を２つのページごとに表示する表示部と、
前記表示部が、前記表示部上を前記２つのページの対辺と概垂直方向へ動く接触である第１の接触パターンを感知した際、第１の操作を受けたと判断し、前記第１の操作を受け付けた場合、前記表示部に表示されている２つのページを更新し、前記表示部が、前記表示部上を前記対辺と概水平方向へ動く接触である第２の接触パターンを感知した際、第２の操作を受け付けたと判断し、前記第２の操作を受け付けた場合、前記表示部に表示されている２つのページのいずれか一方のページのみを更新して、前記表示部に表示させる制御部とを有する表示装置。
【発明の詳細な説明】
【技術分野】
【０００１】
本発明は、情報を表示する表示装置、表示方法およびプログラムに関する。
【背景技術】
【０００２】
近年、タッチパネル機能が具備されたディスプレイ（表示部）を搭載した情報端末装置が普及してきている。さらに、ディスプレイに接触させた指の動きに応じて、当該ディスプレイに表示されている画面が変化したり、移動したりするものも出てきている。
【０００３】
例えば、ディスプレイに指を接触させたまま移動させると、その指の移動方向へ画面が移動したり、ディスプレイに接触した指を広げるような動きをすると、画面が拡大表示されたりする。
【０００４】
また、ページをめくるように指をディスプレイに接触させると、表示されているページが更新される電子ブックが考えられている（例えば、特許文献１参照。）。
【先行技術文献】
【特許文献】
【０００５】
【特許文献１】特開２０００−１６３１９３号公報
【発明の概要】
【発明が解決しようとする課題】
【０００６】
特許文献１に記載されたような技術は、見開いた書籍のように情報を２ページごとにディスプレイに表示するものにも適用することが考えられる。この場合、当該２つのページは、書籍と同様に互いに連続したページである。
【０００７】
一方、本を読む場合、互いに離れた２つのページを一度に閲覧したい場面がよくある。
【０００８】
しかしながら、特許文献１に記載された技術では、互いに離れた２つのページを一度に閲覧することができないという問題点がある。
【０００９】
本発明の目的は、上述した課題を解決する表示装置、表示方法およびプログラムを提供することである。
【課題を解決するための手段】
【００１０】
本発明の表示装置は、
複数のページから構成される情報を２つのページごとに並べて表示する表示部と、
第１の操作を受け付けた場合、前記表示部に表示されている２つのページを、見開いた書籍のページをめくるように更新し、第２の操作を受け付けた場合、前記表示部に表示されている２つのページのうち一方のページのみを該ページの前または後のページへ更新して、前記表示部に表示させる制御部とを有する。
【００１１】
また、本発明の表示方法は、
複数のページから構成される情報を２つのページごとに並べてディスプレイに表示するステップと、
第１の操作を受け付けた場合、前記ディスプレイに表示されている２つのページを、見開いた書籍のページをめくるように更新するステップと、
第２の操作を受け付けた場合、前記ディスプレイに表示されている２つのページのうち一方のページのみを該ページの前または後のページへ更新するステップとを行う。
【００１２】
また、本発明のプログラムは、
コンピュータに実行させるためのプログラムであって、
複数のページから構成される情報を２つのページごとに並べてディスプレイに表示する手順と、
第１の操作を受け付けた場合、前記ディスプレイに表示されている２つのページを、見開いた書籍のページをめくるように更新する手順と、
第２の操作を受け付けた場合、前記ディスプレイに表示されている２つのページのうち一方のページのみを該ページの前または後のページへ更新する手順とを実行させる。
【００１３】
また、本発明の表示装置は、
複数のページから構成される情報を２つのページごとに表示する表示部と、
第１の操作を受け付けた場合、前記表示部に表示されている２つのページを更新し、第２の操作を受け付けた場合、前記表示部に表示されている２つのページのいずれか一方のページのみを更新して、前記表示部に表示させる制御部とを有する。
【発明の効果】
【００１４】
以上説明したように、本発明においては、見開いた書籍のように情報が表示された場合であっても、互いに離れた２つのページを一度に閲覧することができる。
【図面の簡単な説明】
【００１５】
【図１】本発明の表示装置の実施の一形態を示す図である。
【図２】図１に示した形態における表示方法を説明するためのフローチャートである。
【図３】図１に示した形態における詳細な表示方法を説明するためのフローチャートである。
【図４】図１に示した表示部に表示されている２つのページのうち左側のページが表示されている部分で第１の接触パターンが感知された場合のページの更新の様子の一例を示す図である。
【図５】図１に示した表示部に表示されている２つのページのうち右側のページが表示されている部分で第１の接触パターンが感知された場合のページの更新の様子の一例を示す図である。
【図６】図１に示した表示部に表示されている２つのページのうち左側のページが表示されている部分で第２の接触パターンが感知された場合のページの更新の様子の一例を示す図である。
【図７】図１に示した表示部に表示されている２つのページのうち左側のページが表示されている部分で第２の接触パターンが感知された場合のページの更新の様子の他の例を示す図である。
【図８】図１に示した表示部に表示されている２つのページのうち右側のページが表示されている部分で第２の接触パターンが感知された場合のページの更新の様子の一例を示す図である。
【図９】図１に示した表示部に表示されている２つのページのうち右側のページが表示されている部分で第２の接触パターンが感知された場合のページの更新の様子の他の例を示す図である。
【図１０】図１に示した表示部に表示されている２つのページのうち左側のページが表示されている部分で第２の接触パターンが感知された場合のページの更新の様子の一例を示す図である。
【図１１】図１に示した表示部に表示されている２つのページのうち左側のページが表示されている部分で第２の接触パターンが感知された場合のページの更新の様子の他の例を示す図である。
【図１２】図１に示した表示部に表示されている２つのページのうち右側のページが表示されている部分で第２の接触パターンが感知された場合のページの更新の様子の一例を示す図である。
【図１３】図１に示した表示部に表示されている２つのページのうち右側のページが表示されている部分で第２の接触パターンが感知された場合のページの更新の様子の他の例を示す図である。
【図１４】図１に示した表示部に表示されているページの表示をリセットする様子の一例を示す図である。
【図１５】図１に示した表示部に表示されているページの表示をリセットする様子の他の例を示す図である。
【図１６】図１に示した表示部が物理的に分離した２つのディスプレイから構成された表示装置の一例の外観図である。
【図１７】図１に示した表示部が物理的に分離した２つのディスプレイから構成された表示装置の他の例の外観図である。
【発明を実施するための形態】
【００１６】
以下に、本発明の実施の形態について図面を参照して説明する。
【００１７】
図１は、本発明の表示装置の実施の一形態を示す図である。
【００１８】
本形態における表示装置１００には図１に示すように、表示部１１０と、制御部１２０とが設けられている。なお、この表示装置１００は、パーソナルコンピュータやＰＤＡ（Ｐｅｒｓｏｎａｌ  Ｄｉｇｉｔａｌ  Ａｓｓｉｓｔａｎｔ）等の携帯情報端末等であっても良い。
【００１９】
また、表示装置１００に、表示装置１００内で動作するアプリケーションの集まりであるアプリケーション群１３０が搭載されている。なお、アプリケーション群１３０に含まれるアプリケーションの数は、ここでは特に規定しない。また、アプリケーション群１３０に含まれるアプリケーションは、ネットワークから取得したものや、記憶媒体から読み出して取得したもの等である。なお、以下の説明における「アプリケーション」は、アプリケーション群１３０に含まれるアプリケーションを示す。
【００２０】
表示部１１０は、タッチパネル機能を具備し、アプリケーションの処理に応じて制御部１２０からの指示によって情報を表示する。そのとき、表示部１１０は、複数のページから構成される情報を２つのページごとに並べて表示する。つまり、表示部１１０は、２つのページを見開いた電子書籍のように情報を表示する。
【００２１】
制御部１２０は、表示装置１００の外部から第１の操作を受け付けた場合、表示部１１０に表示されている２つのページを、見開いた書籍のページをめくるように更新する。また、制御部１２０は、表示装置１００の外部から第２の操作を受け付けた場合、表示部１１０に表示されている２つのページのうち一方のページのみを、そのページの前または後のページへ更新して、表示部１１０に表示させる。このときのもう一方のページは、更新しないままの表示となる。なお、この表示部１１０への表示は、起動しているアプリケーションに応じて制御部１２０からの指示よって行われるものである。
【００２２】
また、制御部１２０は、第１の操作を受け付けた場合、上述したように２つのページを更新するが、一般的な書籍のページをめくったときのように必ず互いに連続した２つのページに更新する。
【００２３】
また、制御部１２０は、表示部１１０が、タッチパネル機能を用いて第１の接触パターンを感知した際、上述した第１の操作を受けたと判断する。また、制御部１２０は、表示部１１０が、タッチパネル機能を用いて第２の接触パターンを感知した際、上述した第２の操作を受け付けたと判断する。また、制御部１２０は、第１の接触パターンを感知した場合、第１の接触パターンを感知した部分に表示されているページをめくるように、２つのページを更新するものであっても良い。また、制御部１２０は、第２の接触パターンを感知した場合、第２の接触パターンを感知した部分に表示されているページのみを更新するものであっても良い。
【００２４】
以下に、本形態における表示方法について説明する。
【００２５】
図２は、図１に示した形態における表示方法を説明するためのフローチャートである。
【００２６】
まず、所定の操作を受け付けたかどうかが、制御部１２０によって判断される（ステップＳ１）。この「所定の操作」については、後で詳細に説明する。
【００２７】
所定の操作を受け付けたと、制御部１２０によって判断された場合、受け付けた操作が第１の操作であるか、または第２の操作であるかが、制御部１２０によって判断される（ステップＳ２）。
【００２８】
第１の操作であると判断された場合、表示部１１０に表示されている２つのページが、見開いた書籍のページをめくるように更新される（ステップＳ３）。
【００２９】
一方、第２の操作であると判断された場合は、表示部１１０に表示されている２つのページのうち一方のページのみが、そのページの前または後のページへ更新される（ステップＳ４）。
【００３０】
この第１の操作および第２の操作がどのような操作であるかは、表示装置１００にあらかじめ設定されている。例えば、表示部１１０のタッチパネル機能を用いた表示部１１０に対する所定のパターンの接触であっても良いし、表示装置１００を所定の角度だけ傾けるものであっても良いし、表示装置１００を振るという動作であっても良い。
【００３１】
また、上述した２つのページの更新方法および１つのページの更新方法の詳細については、後述する。
【００３２】
以下に、表示部１１０に対する所定のパターンの接触があった場合、所定の操作が行われたと判断するものを例に挙げて、本形態における表示方法の詳細を説明する。また、表示部１１０には、見開いた書籍のように情報を表示するが、以下の説明においては、左から右へページ番号が増加していくものを例に挙げて説明する。また、右から左へページ番号が増加していくものについては、以下に説明する処理の例の２つのページ更新の動作を逆にすれば良いことは言うまでもない。
【００３３】
図３は、図１に示した形態における詳細な表示方法を説明するためのフローチャートである。
【００３４】
まず、表示部１１０にて接触があったかどうかが、表示部１１０によって検出（接触が感知）される（ステップＳ１１）。この表示部１１０への接触は、利用者が情報を入力するためにタッチパネルを指でタッチする（なぞる、叩く等）ことによるものである。
【００３５】
表示部１１０にて接触が感知されると、当該接触のパターンが、第１の接触パターンであるか、または第２の接触パターンであるかが、制御部１２０によって判断される（ステップＳ１２）。
【００３６】
ここで、どのような接触が第１の接触パターンであるか、および第２の接触パターンであるかについては、表示装置１００にあらかじめ設定されている。例えば、見開いた書籍のページをめくるように表示部１１０を左から右へ、または右から左へなぞる接触であっても良いし、日めくりカレンダーをめくるように表示部１１０を下から上へ、または上から下へなぞる接触であっても良い。また、表示部１１０を左から右へ、または右から左へ、もしくは、下から上へ、または上から下へフリック（はらう）操作（接触）であっても良い。
【００３７】
以下、第１の接触パターンが、見開いた書籍のページをめくるように表示部１１０を左から右へ、または右から左へなぞる接触であり、また、第２の接触パターンが、日めくりカレンダーをめくるように表示部１１０を下から上へ、または上から下へなぞる接触である場合を例に挙げて説明する。つまり、第１の接触パターンが、表示部１１０上を２つのページの対辺と概垂直方向へ動く接触であり、また第２の接触パターンが、表示部１１０上をその対辺と概水平方向へ動く接触である場合を例に挙げて説明する。
【００３８】
表示部１１０にて感知された接触が第１の接触パターンであると制御部１２０によって判断された場合、接触を感知した部分が、表示部１１０に表示されている２つのページのうち左側のページが表示されている部分であると（ステップＳ１３の「左側」への分岐）、表示部１１０に表示されている左右の２つのページが、見開いた書籍のページの左側のページをめくるように当該２つのページの前の２つのページへ更新される（ステップＳ１４）。この更新は、制御部１２０によって表示部１１０へ指示されることで実現される。
【００３９】
図４は、図１に示した表示部１１０に表示されている２つのページのうち左側のページが表示されている部分で第１の接触パターンが感知された場合のページの更新の様子の一例を示す図である。
【００４０】
図４の上図に示すように、表示部１１０には現在、５ページ目（左側）と６ページ目（右側）との２つのページが見開いた書籍のように表示されている。
【００４１】
そして、左側のページである５ページ目が表示されている部分にて、図４にて矢印で示したように、左から右へ表示部１１０をなぞるような第１の接触パターンが感知されると、図４の下図に示すように、表示部１１０に表示される２つのページが、５ページ目と６ページ目との前のページである３ページ目（左側）と４ページ目（右側）とに更新されて表示される。これは、一般的に見開いている書籍（左から右へページ番号が増加していくもの）の左側のページを指等でめくると、めくる前の２つのページの前のページの見開きになる動作と同じである。
【００４２】
また、表示部１１０にて感知された接触が第１の接触パターンであると制御部１２０によって判断された場合、接触を感知した部分が、表示部１１０に表示されている２つのページのうち右側のページが表示されている部分であると（ステップＳ１３の「右側」への分岐）、表示部１１０に表示されている左右の２つのページが、見開いた書籍のページの右側のページをめくるように当該２つのページの後ろの（次の）２つのページへ更新される（ステップＳ１５）。この更新は、制御部１２０によって表示部１１０へ指示されることで実現される。
【００４３】
図５は、図１に示した表示部１１０に表示されている２つのページのうち右側のページが表示されている部分で第１の接触パターンが感知された場合のページの更新の様子の一例を示す図である。
【００４４】
図５の上図に示すように、表示部１１０には現在、５ページ目（左側）と６ページ目（右側）との２つのページが見開いた書籍のように表示されている。
【００４５】
そして、右側のページである６ページ目が表示されている部分にて、図５にて矢印で示したように、右から左へ表示部１１０をなぞるような第１の接触パターンが感知されると、図５の下図に示すように、表示部１１０に表示される２つのページが、５ページ目と６ページ目との後ろの（次の）ページである７ページ目（左側）と８ページ目（右側）とに更新されて表示される。これは、一般的に見開いている書籍（左から右へページ番号が増加していくもの）の右側のページを指等でめくると、めくる前の２つのページの後ろの（次の）ページの見開きになる動作と同じである。
【００４６】
また、ステップＳ１２で、表示部１１０にて感知された接触が第２の接触パターンであると制御部１２０によって判断された場合、接触を感知した部分が、表示部１１０に表示されている２つのページのうち左側のページが表示されている部分であると（ステップＳ１６の「左側」への分岐）、表示部１１０に表示されている左側のページのみが更新される（ステップＳ１７）。この更新は、制御部１２０によって表示部１１０へ指示されることで実現される。またこのとき、右側のページは更新されない。
【００４７】
図６は、図１に示した表示部１１０に表示されている２つのページのうち左側のページが表示されている部分で第２の接触パターンが感知された場合のページの更新の様子の一例を示す図である。
【００４８】
図６の上図に示すように、表示部１１０には現在、５ページ目（左側）と６ページ目（右側）との２つのページが見開いた書籍のように表示されている。
【００４９】
そして、左側のページである５ページ目が表示されている部分にて、図６にて矢印で示したように、下から上へ表示部１１０をなぞるような第２の接触パターンが感知されると、図６の下図に示すように、表示部１１０の左側に表示されるページが、５ページ目の後ろの（次の）ページである６ページ目に更新されて表示される。これは、一般的に日めくりカレンダーのような書籍等を指等でめくると、後ろの（次の）ページになる動作と同じである。またこのとき、右側のページは６ページ目のままである。
【００５０】
図７は、図１に示した表示部１１０に表示されている２つのページのうち左側のページが表示されている部分で第２の接触パターンが感知された場合のページの更新の様子の他の例を示す図である。
【００５１】
図７の上図に示すように、表示部１１０には現在、５ページ目（左側）と６ページ目（右側）との２つのページが見開いた書籍のように表示されている。
【００５２】
そして、左側のページである５ページ目が表示されている部分にて、図７にて矢印で示したように、上から下へ表示部１１０をなぞるような第２の接触パターンが感知されると、図７の下図に示すように、表示部１１０の左側に表示されるページが、５ページ目の前のページである４ページ目に更新されて表示される。これは、一般的に日めくりカレンダーのような書籍等のめくられている部分を指等で戻すと、前のページになる動作と同じである。またこのとき、右側のページは６ページ目のままである。
【００５３】
また、表示部１１０にて感知された接触が第２の接触パターンであると制御部１２０によって判断された場合、接触を感知した部分が、表示部１１０に表示されている２つのページのうち右側のページが表示されている部分であると（ステップＳ１６の「右側」への分岐）、表示部１１０に表示されている右側のページのみが更新される（ステップＳ１８）。この更新は、制御部１２０によって表示部１１０へ指示されることで実現される。またこのとき、左側のページは更新されない。
【００５４】
図８は、図１に示した表示部１１０に表示されている２つのページのうち右側のページが表示されている部分で第２の接触パターンが感知された場合のページの更新の様子の一例を示す図である。
【００５５】
図８の上図に示すように、表示部１１０には現在、５ページ目（左側）と６ページ目（右側）との２つのページが見開いた書籍のように表示されている。
【００５６】
そして、右側のページである６ページ目が表示されている部分にて、図８にて矢印で示したように、下から上へ表示部１１０をなぞるような第２の接触パターンが感知されると、図８の下図に示すように、表示部１１０の右側に表示されるページが、６ページ目の後ろの（次の）ページである７ページ目に更新されて表示される。これは、一般的に日めくりカレンダーのような書籍等を指等でめくると、後ろの（次の）ページになる動作と同じである。またこのとき、左側のページは５ページ目のままである。
【００５７】
図９は、図１に示した表示部１１０に表示されている２つのページのうち右側のページが表示されている部分で第２の接触パターンが感知された場合のページの更新の様子の他の例を示す図である。
【００５８】
図９の上図に示すように、表示部１１０には現在、５ページ目（左側）と６ページ目（右側）との２つのページが見開いた書籍のように表示されている。
【００５９】
そして、右側のページである６ページ目が表示されている部分にて、図９にて矢印で示したように、上から下へ表示部１１０をなぞるような第２の接触パターンが感知されると、図９の下図に示すように、表示部１１０の右側に表示されるページが、６ページ目の前のページである５ページ目に更新されて表示される。これは、一般的に日めくりカレンダーのような書籍等のめくられている部分を指等で戻すと、前のページになる動作と同じである。またこのとき、左側のページは５ページ目のままである。
【００６０】
以上、第１の接触パターンが、見開いた書籍のページをめくるように表示部１１０を左から右へ、または右から左へなぞる接触であり、また、第２の接触パターンが、日めくりカレンダーをめくるように表示部１１０を下から上へ、または上から下へなぞる接触である場合を例に挙げて説明したが、あらかじめ設定されているものであれば、他の接触パターンであっても良い。
【００６１】
図１０は、図１に示した表示部１１０に表示されている２つのページのうち左側のページが表示されている部分で第２の接触パターンが感知された場合のページの更新の様子の一例を示す図である。
【００６２】
図１０の上図に示すように、表示部１１０には現在、５ページ目（左側）と６ページ目（右側）との２つのページが見開いた書籍のように表示されている。
【００６３】
そして、左側のページである５ページ目が表示されている部分にて、図１０にて矢印で示したように、上述した第１の接触パターンよりも２つのページの対辺に近い部分を左から右へなぞるような第２の接触パターンが感知されると、図１０の下図に示すように、表示部１１０の左側に表示されるページが、５ページ目の前のページである４ページ目に更新されて表示される。このとき、右側のページは６ページ目のままである。
【００６４】
図１１は、図１に示した表示部１１０に表示されている２つのページのうち左側のページが表示されている部分で第２の接触パターンが感知された場合のページの更新の様子の他の例を示す図である。
【００６５】
図１１の上図に示すように、表示部１１０には現在、５ページ目（左側）と６ページ目（右側）との２つのページが見開いた書籍のように表示されている。
【００６６】
そして、左側のページである５ページ目が表示されている部分にて、図１１にて矢印で示したように、上述した第１の接触パターンよりも２つのページの対辺に近い部分を右から左へなぞるような第２の接触パターンが感知されると、図１１の下図に示すように、表示部１１０の左側に表示されるページが、５ページ目の後ろの（次の）ページである６ページ目に更新されて表示される。このとき、右側のページは６ページ目のままである。
【００６７】
図１２は、図１に示した表示部１１０に表示されている２つのページのうち右側のページが表示されている部分で第２の接触パターンが感知された場合のページの更新の様子の一例を示す図である。
【００６８】
図１２の上図に示すように、表示部１１０には現在、５ページ目（左側）と６ページ目（右側）との２つのページが見開いた書籍のように表示されている。
【００６９】
そして、右側のページである６ページ目が表示されている部分にて、図１２にて矢印で示したように、上述した第１の接触パターンよりも２つのページの対辺に近い部分を右から左へなぞるような第２の接触パターンが感知されると、図１２の下図に示すように、表示部１１０の右側に表示されるページが、６ページ目の前のページである５ページ目に更新されて表示される。このとき、左側のページは５ページ目のままである。
【００７０】
図１３は、図１に示した表示部１１０に表示されている２つのページのうち右側のページが表示されている部分で第２の接触パターンが感知された場合のページの更新の様子の他の例を示す図である。
【００７１】
図１３の上図に示すように、表示部１１０には現在、５ページ目（左側）と６ページ目（右側）との２つのページが見開いた書籍のように表示されている。
【００７２】
そして、右側のページである６ページ目が表示されている部分にて、図１３にて矢印で示したように、上述した第１の接触パターンよりも２つのページの対辺に近い部分を左から右へなぞるような第２の接触パターンが感知されると、図１３の下図に示すように、表示部１１０の右側に表示されるページが、６ページ目の後ろの（次の）ページである７ページ目に更新されて表示される。このとき、左側のページは５ページ目のままである。
【００７３】
このように、第１の接触パターンと同じ方向であるが、異なる部分で感知する接触パターンを第２の接触パターンとするものであっても良い。
【００７４】
また、一方のページが表示されている部分にて静止した接触を感知した（例えば、指でその部分を押さえている）状態で、他方のページが表示されている部分にて右から左へ、または左から右へ表示部１１０をなぞるような接触を感知した場合、それを第２の接触パターンとしても良い。つまり、静止した接触を感知している部分に表示されているページは更新せず、右から左へ、または左から右へなぞるような接触を感知した部分に表示されているページのみを更新するものであっても良い。
【００７５】
以下に、表示部１１０に表示されているページの表示をリセットする動作について説明する。
【００７６】
図１４は、図１に示した表示部１１０に表示されているページの表示をリセットする様子の一例を示す図である。
【００７７】
図１４に示すように、表示部１１０の左側に１０１ページ目が表示されており、また表示部１１０の右側に６ページ目が表示されている場合を例に挙げて説明する。このような表示の場合、１０１ページ目と６ページ目とは、互いに連続していないため、この表示部１１０における表示は書籍の見開きのような表示となっていない。そこで、互いに連続する２つのページの表示に戻す（リセットする）ときの動作を説明する。
【００７８】
図１４の上図に示すように上述した第１の接触パターンが左側のページである１０１ページ目が表示されている部分にて感知されると、図１４の下図に示すように第１の接触パターンが感知された部分に表示されている１０１ページ目の前のページである９９ページ目と１００ページ目とへ、左右の２つのページが更新されて表示される。これで、表示部１１０における表示を互いに連続する２つのページの表示に戻すことができる。この動作は、制御部１２０から表示部１１０への指示により実現される。
【００７９】
図１５は、図１に示した表示部１１０に表示されているページの表示をリセットする様子の他の例を示す図である。
【００８０】
図１５に示すように、表示部１１０の左側に１０１ページ目が表示されており、また表示部１１０の右側に６ページ目が表示されている場合を例に挙げて説明する。図１４に示した場合と同様に、１０１ページ目と６ページ目とは、互いに連続していないため、この表示部１１０における表示は書籍の見開きのような表示となっていない。そこで、互いに連続する２つのページの表示に戻す（リセットする）ときの動作を説明する。
【００８１】
図１５の上図に示すように上述した第１の接触パターンが右側のページである６ページ目が表示されている部分にて感知されると、図１５の下図に示すように第１の接触パターンが感知された部分に表示されている６ページ目の後ろの（次の）ページである７ページ目と８ページ目とへ、左右の２つのページが更新されて表示される。これで、表示部１１０における表示を互いに連続する２つのページの表示に戻すことができる。この動作は、制御部１２０から表示部１１０への指示により実現される。
【００８２】
また、表示部１１０が、物理的に分離された２つのディスプレイから構成されるものであっても良い。この場合、２つのページを表示部１１０が表示させるには、一方のページを一方のディスプレイに表示させ、また他方のページを他方のディスプレイに表示させる。
【００８３】
図１６は、図１に示した表示部１１０が物理的に分離した２つのディスプレイから構成された表示装置の一例の外観図である。
【００８４】
図１６に示すように、表示部１１０が２つのディスプレイ２００−１，２００−２から構成されている。
【００８５】
ディスプレイ２００−１とディスプレイ２００−２とは、物理的に分離されており、互いに隣接した配置となっている。
【００８６】
図１７は、図１に示した表示部１１０が物理的に分離した２つのディスプレイから構成された表示装置の他の例の外観図である。
【００８７】
図１７に示すように、表示装置１００が２つの筺体３００−１，３００−２から構成されている。また、筺体３００−１と筺体３００−２とがヒンジ部４００によって接続されている。このヒンジ部４００は、折りたたみ型携帯端末やノートＰＣ（Ｐｅｒｓｏｎａｌ  Ｃｏｍｐｕｔｅｒ）等で用いられる蝶番の構造を持ち、ヒンジ部４００を中心として表示装置１００を折りたたむことができる。また、筺体３００−１にディスプレイ２００−１が搭載され、また筺体３００−２にディスプレイ２００−２が搭載されている。このような構造により、見開いた書籍の感覚でディスプレイ２００−１，２００−２に表示された情報を閲覧することができる。
【００８８】
また、この折りたたみ構造を用いて、上述したようなリセット機能を実現することも考えられる。
【００８９】
例えば、図１７に示すような折りたたみ可能な表示装置１００を折りたたむことにより、上述したリセットを行い、表示装置１００を再度開くと、あらかじめ設定された初期ページをディスプレイ２００−１，２００−２に表示させるものであっても良い。
【００９０】
このように、２つのページを一度に更新する機能に加え、一方のページのみを更新する機能を具備させることにより、互いに離れたページの情報を一度に表示することができる。例えば、文章と、当該文章が説明している図面とが、互いに離れたページに表示されるものであっても、その文章を左側のページに、またその図面を右側のページに表示させることができるため、一度に閲覧したい情報を表示することができる。
【００９１】
上述した表示装置１００に設けられた各構成要素が行う処理は、目的に応じてそれぞれ作製された論理回路で行うようにしても良い。また、処理内容を記述したプログラムを表示装置１００にて読取可能な記録媒体に記録し、この記録媒体に記録されたプログラムを表示装置１００に読み込ませ、実行するものであっても良い。表示装置１００にて読取可能な記録媒体とは、フロッピー（登録商標）ディスク、光磁気ディスク、ＤＶＤ、ＣＤなどの移設可能な記録媒体の他、表示装置１００に内蔵されたＲＯＭ、ＲＡＭ等のメモリやＨＤＤ等を指す。この記録媒体に記録されたプログラムは、表示装置１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００９２】
１００    表示装置
１１０    表示部
１２０    制御部
１３０    アプリケーション群
２００−１，２００−２    ディスプレイ
３００−１，３００−１    筺体
４００    ヒンジ部
【図１】
0005533492.tif 000002
【図２】
0005533492.tif 000003
【図３】
0005533492.tif 000004
【図４】
0005533492.tif 000005
【図５】
0005533492.tif 000006
【図６】
0005533492.tif 000007
【図７】
0005533492.tif 000008
【図８】
0005533492.tif 000009
【図９】
0005533492.tif 000010
【図１０】
0005533492.tif 000011
【図１１】
0005533492.tif 000012
【図１２】
0005533492.tif 000013
【図１３】
0005533492.tif 000014
【図１４】
0005533492.tif 000015
【図１５】
0005533492.tif 000016
【図１６】
0005533492.tif 000017
【図１７】
0005533492.tif 000018